(57)【特許請求の範囲】
【請求項１】
上下の外壁パネルの目地間に圧縮されて設けられる中空状の目地用防火材を備えた防火構造であって、
前記目地用防火材は、底面から背面にかけて形成される形態安定部と、その形態安定部とともに内部が中空の環状体を形成する弾性変形部とを有し、
前記目地用防火材が上下の外壁パネルの目地間で縦方向に圧縮されることにより前面に突出した突出部は、該目地間を覆う化粧部材の背面凹所に弾性的に収納されて格納されることを特徴とする防火構造。
【請求項２】
前記形態安定部は、前記弾性変形部の材質に比べて硬質素材から形成されていることを特徴とする請求項１記載の防火構造。
【請求項３】
前記目地用防火材は弾性材料から形成され、前記形態安定部の発泡倍率は前記弾性変形部の発泡倍率よりも低いことを特徴とする請求項１記載の防火構造。
【発明の詳細な説明】
【０００１】
【発明の属する技術分野】
この発明は、建物外壁の目地間に挿嵌されて目地からの火炎の侵入を防ぐ目地用防火材及びそれを用いた防火構造に関する。
【０００２】
【従来の技術】
近年、一般建築物の内外壁に用いられる部材に対して防火性が要求されるようになってき、これに伴い、外壁の接続部（目地部）に対しても、圧縮されて設けられる目地用防火材が種々提案されている。
【０００３】
たとえば、実公平４−１７６８７号公報によれば、防音・防火壁用パネルの接合構造が提案され、壁パネルとしてのカルシウム板間には、防火機能を発揮する石綿発泡体が押し込まれて配されている。
【０００４】
【発明が解決しようとする課題】
しかしながら、石綿発泡体が上下に圧縮されると、その分、前後方向（壁パネルの表裏面方向）に膨らみ、壁パネルの背面に通気層が設けられている場合には、その通気層を狭めてしまうという恐れがある。
【０００５】
そこで、この発明は、上記のような従来の問題点を解消するためになされたもので、目地部に圧縮されて設けられても、背面には膨らむことのない目地用防火材及び該目地用防火材を用いた防火構造を提供することを目的とする。
【０００６】
【課題を解決するための手段】
本発明は、上下の外壁パネルの目地間に圧縮されて設けられる中空状の目地用防火材を備えた防火構造であって、前記目地用防火材は、底面から背面にかけて形成される形態安定部と、その形態安定部とともに内部が中空の環状体を形成する弾性変形部とを有し、前記目地用防火材が上下の外壁パネルの目地間で縦方向に圧縮されることにより前面に突出した突出部は、該目地間を覆う化粧部材の背面凹所に弾性的に収納されて格納されることを特徴とする。
【０００７】
このように構成すれば、中空状の目地用防火材は外壁パネル間で圧縮されて目地間を遮炎して防火するが、底辺に連接された背面に形態安定部を備えるので、目地用防火材は目地間で上下に圧縮されても背面側には膨らみにくく、外壁背面に形成される通気層の通気を妨げる恐れがない。
【０００８】
また、前記形態安定部は、前記弾性変形部の材質に比べて硬質素材から形成することができる。
【０００９】
このように構成すれば、材質の変更により請求項１記載の目地用防火材が形成できるので、補強部材により補強して形態安定部を形成する場合に比べて目地用防火材は廉価に製造できる。
【００１０】
さらに、前記目地用防火材は弾性材料から形成され、前記形態安定部の発泡倍率は前記弾性変形部の発泡倍率よりも低いものであってもよい。
【００１１】
このように構成すれば、目地用防火材の発泡倍率を変えるだけで同一素材を用いて形態安定部を備えた請求項１記載の目地用防火材を形成することができる。これにより、弾性、耐久性、価格など、目地用防火材としての必要な材質を考慮して一種類の材料を選択し、その選択した材料により形態安定部を備えた請求項１記載の目地用防火材を製造することができる。このようにして得られた目地用防火材は形態安定部とその他の部分（弾性変形部）が同一素材から形成されるので、接合が容易であると共に価格も低減される。
【００１３】
このように構成された本発明は、目地間で縦方向に圧縮された目地用防火材は前面に突出して前面突出部が形成されるが、この前面突出部は、化粧部材の背面凹所に弾性的に収納されて格納されることにより、外観上の問題点が解消されると共に目地部に配置される化粧部材の保持を安定させることができる。
【００１４】
【発明の実施の形態１】
以下、本発明の実施の形態１を図面を参照しつつ説明する。
【００１５】
図１は、この発明の実施の形態に係る目地用防火材１０の一例を示し、この目地用防火材１０は、防耐火性の発泡倍率が異なるシリコーンゴムなどから形成された長手方向に延びる筒状体であり、底面１１ａから背面１１ｂにかけて形成される形態安定部としての硬質部１１と、その硬質部１１とともに内部が中空１３の環状体を形成する弾性変形部としての軟質部１２とから構成されている。また、この底面１１ａと背面１１ｂとの連接部１１ｃは、緩やかな曲面とされている。
【００１６】
このような硬質部１１及び軟質部１２は、たとえば、硬質部１１を構成する部位の発泡剤の含有量を軟質部１２を構成する部位の発泡剤の含有量よりも少なく調製されることにより形成される。その発泡倍率は、例えば、硬質部１１は、１．４〜１．７５であり、一方軟質部１２の発泡倍率は３倍程度である。これにより、この軟質部の比重はシリコーンゴムを１として０．５程度であり、硬質部の比重は０．８〜１．０である。
【００１７】
この目地用防火材１０は、図２に示すように、建物外壁１，２の目地部３に挿嵌されて用いられる。この図２において、符号Ｕは、工場において予め組み立てられた箱形の建物ユニットを施工現場へ運搬し、施工現場において組立施工されるユニット建物である。
【００１８】
下階建物ユニットＵ１，上階建物ユニットＵ２が工場から運搬され、施工現場において、下階建物ユニットＵ１の上に上階建物ユニットＵ２が組み立てられ、不図示の箇所でボルト接合などにより接合されてユニット建物Ｕが形成されている。
【００１９】
これらの上下階建物ユニットＵ１，Ｕ２には、工場にて予め不図示の間柱などを介して外壁パネル１、２が固定されている。また、この外壁パネル１，２の背面には、上下階に通じる通気層（矢印Ａ）が形成されている。
【００２０】
これらの外壁パネル１，２は防火性及び耐火性を備えたものであり、不燃材料又は準不燃材料から構成され、たとえば、石膏ボードや硬質木片セメント板、繊維混入押出セメント板、繊維混入アルミナシリケート板、オートクレーブ養生軽量気泡コンクリート板（ＡＬＣ）単体又は金属フレームなどとの積層板等である。
【００２１】
下階建物ユニットＵ１の大梁４と上階建物ユニットＵ２の大梁５との間に水密性を維持するための二次防水材６が挿嵌され、外壁パネル２の裏面２ｂに固定された防水シート７の下端は上下階の組立時に下階の外壁パネル１の木口１ａ面上に延設されている。
【００２２】
これにより、下階建物ユニットＵ１と上階建物ユニットＵ２とのジョイント部となる木口面１ａ、２ａには目地部３を構成する隙間が形成されている。
【００２３】
この目地部３には、目地用防火材１０が圧入され挿嵌された後、その目地部３は胴差し８などの化粧部材により目隠しされている。
【００２４】
その胴差し８はアルミニウムの押出成形品などにより形成され、同じくアルミニウムなどにより形成された複数の受け金具８０…を介して固定されている。
【００２５】
この胴差し８は、胴差し本体の中段及び下端の背面（裏面側）に設けられた受け金具８０に固定される二つの嵌合部８ａ、８ｂと、その上端の背面に延設されて設けられた圧接嵌合部８ｃとを備え、その胴差し本体の背面であって圧接嵌合部８ｃの下側に背面凹所８ｄが形成されている。
【００２６】
一方、受け金具８０は壁パネル１と固定される断面が凹状の固定部８１と、その固定部８１の下壁から垂下して胴差し８の下端８ａと嵌合される嵌合壁部８２と、固定部８１の上壁から立設され更に背面に向けて曲折されて胴差し中段の嵌合部８ｂと嵌合される嵌合壁部８３と、その上壁から立設され目地部３の木口面１ａを押さえつける当接壁部８４とを備えている。
【００２７】
これにより、防水シート７を介在させた状態で当接壁部８４を木口面１ａ上に当接させ、ネジ釘９等により固定部８１を固定することにより、複数の受け金具８０…が外壁パネル１の上端に所定間隔を開けて固定される。
【００２８】
ついで、この目地部３に目地用防火材１０が圧入されて挿嵌される。この目地用防火材１０は、底面部１１ａとそれに連接される背面部１１ｂとはともに硬質であり、かつ、その連接部１１ｃが緩やかな曲面となっているので、この目地用防火材１０は防水シート７上の目地部３にスムーズに、かつ、納まりよく挿嵌される。
【００２９】
また、この挿嵌により、目地用防火材１０は上下方向に圧縮され、これに伴い前後方向に膨らもうとするが、背面部１１ｂは硬質であるので、軟質部１２のみが圧入により圧縮されて変形され、これにより前面に向かって膨らんで突出した突出部１２ａが形成される。
【００３０】
ついで、嵌合壁部８２に嵌合部８ａを嵌合させ、嵌合部８ｂ及び圧接嵌合部８ｃにより突出部１２ａを圧縮変形させながら、嵌合壁部８３に嵌合部８ｂを嵌合させつつ、突出部１２ａを圧接嵌合部８ｃにより弾性変形的に嵌合させる。これにより、この受け金具８０に胴差し８等の化粧部材が挿嵌されて固定される。
【００３１】
これにより、この胴差し８により突出部１２ａが覆い隠されるとともに胴差し８の保持が安定化される。また、この目地用防火材１０は、背面部が硬質であるので、背面に向けて突出することがなく、壁パネルの背面に通気層Ａが形成されていても、その通気層Ａを干渉させることがない。
【００３２】
【発明の実施の形態２】
以下、本発明の実施の形態２を図面を参照しつつ説明する。なお、実施の形態１と同一乃至は均等な部位部材は同一番号を付して詳細な説明は省略する。
【００３３】
図３は、この発明の実施の形態２に係る目地用防火材１０の一例を示し、この目地用防火材１０は、底面１１ａと背面１１ｂとの連接部１１ｃは、直角とされ、この目地用防火材１０は、図４に示すように、建物外壁１，２の目地部３に挿嵌されて用いられる。
【００３４】
ここで、この受け金具８０は当接壁部８４の奥行きが木口面１ａの背面にまで到達され、その当接壁部８４の背面側から立設されて止壁８５が設けられている。
【００３５】
これにより、目地部３に目地用防火材１０が圧入されて挿嵌されると、その背面部１１ｂはこの止壁８５により規制されて外壁パネル１の背面よりも目地用防火材１０が突出されることなく挿嵌できる。
【００３６】
この目地用防火材１０も、背面部１１ｂは硬質であるので、挿嵌により上下方向に圧縮されても、背面に向けて突出することがない。これにより、壁パネルの背面に通気層Ａが形成されていても、その通気層Ａを干渉させることがない。
【００３７】
その他の構成及び作用は実施の形態１と略同一であるので、詳細な説明は省略する。
【００３８】
【発明の効果】
請求項１記載の発明によれば、外壁パネル間に圧縮されて設けられる中空状の目地用防火材であって、底辺に連接された背面には形態安定部を備えているので、目地用防火材は目地間で上下に圧縮されても背面側には膨らみにくく、外壁背面に形成される通気層の通気を妨げる恐れがない。
【００３９】
請求項２記載の発明によれば、この形態安定部は、底面と該底面に連接された背面が、前面及び上面の材質に比べて硬質素材から形成されているので、材質の変更により請求項１記載の目地用防火材が形成でき、これにより、補強部材により補強して形態安定部を形成する場合に比べて目地用防火材は廉価に製造できる。
【００４０】
請求項３記載の発明によれば、目地用防火材の発泡倍率を変えるだけで同一素材を用いて形態安定部を備えた請求項１記載の目地用防火材を形成することができ、これにより、弾性、耐久性、価格など、目地用防火材としての必要な材質を考慮して一種類の材料を選択し、その選択した材料により形態安定部を備えた請求項１記載の目地用防火材を製造することができる。また、このようにして得られた目地用防火材は形態安定部とその他の部分（弾性変形部）が同一素材から形成されるので、接合が容易であると共に価格も低減される。
【００４１】
本発明は、目地用防火材が上下の外壁パネルの目地間で縦方向に圧縮されることにより前面に突出した突出部は、該目地間を覆う化粧部材の背面凹所に弾性的に収納されて格納されるので、外観上の問題点が解消されると共に目地部に配置される化粧部材の保持を安定させることができる、とうい実用上有益な効果を発揮する。
【図面の簡単な説明】
【図１】この発明の実施の形態１に係る目地用防火材の断面斜視図である。
【図２】図１の目地用防火材をユニット建物に挿嵌した際の断面図である。
【図３】この発明の実施の形態２に係る目地用防火材の断面斜視図である。
【図４】図３の目地用防火材をユニット建物に挿嵌した際の断面図である。
【符号の説明】
Ｕ    ユニット建物
Ｕ１  下階建物ユニット
Ｕ２  上階建物ユニット
１、２  外壁パネル
３    目地部
８    化粧部材（胴差し）
１０  目地用防火材
１１  形態安定部（硬質部）
１２  弾性変形部（軟質部）
【図１】
0004558913.tif 000002
【図２】
0004558913.tif 000003
【図３】
0004558913.tif 000004
【図４】
0004558913.tif 000005